(57)【要約】      （修正有）【課題】ジュウテリウム−ヘリウム−３（Ｄ−３Ｈｅ）が燃料として与えられ安定した状態の小さい原子炉からの中性子の生成を低減するシステムおよび方法を提供する。【解決手段】原子炉は、逆転磁界配位（ＲＦＣ）磁気閉じ込めスキームと、プラズマ５６を加熱するための周期的な共通ストリームの活性イオンビームを生成する奇数パリティ回転磁場（ＲＭＦＯ）と、を採用する。これは、効率的にプラズマを加熱し維持する無線周波数（ＲＦ）加熱を通じて達成される。この方法の使用は、原子炉構成要素に対するダメージおよび原子炉構成要素の活性化を低減し、そうすることによって、核物質およびトリチウム増殖技術のテストプログラムの両方にとっての要求を和らげ、原子炉の電力および推進応用の発展を促進する。【選択図】図５
2018185321.tif 000002
【特許請求の範囲】
【請求項１】
逆転磁場配位の反応チャンバーと、
核融合反応のために前記反応チャンバーにジュウテリウムおよびヘリウム−３の燃料を注入する注入システムと、
燃料イオンに融合を起こさせて核融合生成物を生成するのに十分な温度までプラズマを加熱可能な奇数パリティ回転磁場を生成するように構成される、複数の無線周波数（ＲＦ）アンテナと、
前記奇数パリティ回転磁場に応じて、内部において誘導された電流が生成され、前記誘導された電流がプラズマを磁気的に閉じ込める閉じ込め磁場を生成する、反応チャンバーの周りの複数の超伝導フラックスコイルと、
スクレイプオフ層を通り抜ける、前記プラズマ内の核融合反応による前記核融合生成物からエネルギーを抽出する直接エネルギー変換システムと、
を有する逆転磁場配位核融合炉システム。
【請求項２】
加熱エンジンおよび高温熱交換器を使った核融合反応によって生成された制動放射およびシンクロトロン放射から電力を抽出する請求項１に記載の逆転磁場配位核融合炉システム。
【請求項３】
前記スクレイプオフ層は、前記直接エネルギー変換システムにおいて前記核融合生成物からのエネルギーが抽出される前に、核融合反応による前記核融合生成物が通り抜けることを許可するように構成される請求項１に記載の逆転磁場配位核融合炉システム。
【発明の詳細な説明】
【技術分野】
【０００１】
本発明は、プラズマ物理に関し、特に、電力を生成する目的で核融合を容易にするためのプラズマ閉じ込め方法および装置に関する。
【背景技術】
【０００２】
核融合反応炉は、ジュウテリウム、トリテリウムおよびヘリウムなどの原子の粒子の融合から電力を生成するために提案されている。
【０００３】
一般的に、融合において、早く動く重い粒子を生成するために、軽い核結合は、莫大なエネルギー量を含む。この過程は、正電荷の原子核を拒絶するクーロン力が克服されるような、何億から何十億ケルビンの温度でのみ起こる。反応性または融合速度は、温度の関数である。
【０００４】
実用的な原子炉のための最も重要な核融合反応は、次の通りである。
【０００５】
Ｄ＋Ｔ→α（３．６  ＭｅＶ）＋ｎ（１４．１  ＭｅＶ）  …  式１
Ｄ＋３Ｈｅ→４Ｈｅ  （３．７ＭｅＶ）＋ｐ（１４．７ＭｅＶ）  …  式２
Ｄ＋Ｄ→３Ｈｅ（０．８ＭｅＶ）＋ｎ（２．５ＭｅＶ）  …  式３
ここで、Ｄはジュウテリウム、Ｔはトリチウム、αはヘリウム原子核であり、ｎは中性子、ｐは陽子、３Ｈｅおよび４Ｈｅは、それぞれヘリウム−３およびヘリウム−４である。各生成物質の関連する運動エネルギーは丸括弧で示される。
【０００６】
Ｄ−Ｔ反応は、中性子内でそのほとんどのエネルギーを生成し、これは、核分裂反応炉内のように、作用する液体を加熱するための中性子放射を用いることによってのみ、電気エネルギーが生成されることを意味する。温度制限のため、変換効率は、たった約３０％である。最も低い温度におけるＤ−Ｔ燃料混合の平均は、たった５〜１０ｋｅＶ（１ｋｅＶ＝１１６０万Ｋで、温度を表すより便利な単位である）の正味出力を生成するものである。しかしながら、この反応において遊離した活動的な中性子は、原子炉構成要素の電気的、機械的および熱的特性を低下し、また多くの材料を放射能にさらす中性子束として、原子炉の構造物にとって著しい脅威であることを意味する。これらの活動的な中性子の一部は、希少物質であるトリチウムを増殖するために使用される。したがって、Ｄ−Ｔ燃料混合は、放射線障害、材料放射化および燃料の入手可能性の著しい課題を引き起こす。Ｄ−Ｔ原子炉の続行には、中性子線から原子炉構成要素および人を守るための数メートル相当の遮蔽と共に、核材料およびトリチウム増殖の実質的な研究および発展が必要である。
【０００７】
多量のジュウテリウムがトリチウムの増殖を未然に防ぐので、Ｄ−Ｄ核融合反応はとても魅力的である。さらに、生成された中性子は、Ｄ−Ｔから生成されるのと比べて、生成エネルギーの単位当りで、数としてはより少なく、エネルギーとしてはより低い。Ｄ−Ｄ核融合反応の娘製品の選択的処理によって（促進および崩壊を形成する３Ｈｅを燃焼するがプラズマが融合する前にＴをプラズマから除去する、Ｈｅ−触媒Ｄ−Ｄ融合と呼ばれる技術）、生成されるエネルギー単位で、中性子の生成がＤ−Ｔレベルの７％まで低減される。
【０００８】
比較的少ない中性子を生成し、なんの増殖も必要としないので、Ｄ−３Ｈｅ反応は、非中性子的（ａｎｅｕｔｒｏｎｉｃ）と言われる。荷電反応生成物からのエネルギーは、Ｄ−Ｔよりも高効率で電力に直接変換される。しかし、Ｄ−Ｔと同等の反応性を得るためには、５０〜１００ｋｅＶのより高い温度が必要である。両方の反応は、Ｄ−３Ｈｅ原子炉にとって中性子反応の唯一の源であるＤ−Ｄ側反応を認める。中性子の生成を低減する公知の方法は、Ｄ：３ＨＥの反応物質濃度比を、１：１から１：９に低める。これは、１００ｋｅＶイオンを伴う熱プラズマにおいて、生成されるエネルギー単位で、中性子生成をＤ−Ｔの２．６％から０．５％に降下させる。これは、必要な中性子遮断レベルを１メートル以下まで下げる。しかし、低いＤ濃度は、４．５の係数まで、電力密度を下げ、経済に不利な影響を与える。
【０００９】
他の魅力的な非中性子的燃料は、陽子−ボロン−１１であるが、Ｐ−１１Ｂ融合に必要な２００ｋｅＶより大きいプラズマ温度で、生成される燃料電力は、高いプラズマ温度を維持するのに必要な電力よりも少ないと見積もられるので、実行可能性には多くの疑いがある。
【００１０】
燃料源に加え、核融合炉は、加熱処理、閉じ込め方法およびエネルギー変換システムを組み込む必要がある。
【００１１】
核融合炉は、広く磁気閉じ込めを用いるものと、慣性閉じ込めを用いるものとに分類できる。前者では、外部コイルからの磁場またはプラズマ電流によって生成された磁場が、融合を実行させるホットプラズマを閉じ込める。慣性閉じ込めでは、反対に、外部粒子ビームまたはレーザーが融合を生成するための反応剤を圧縮する。
【００１２】
多数の磁気形状が核融合炉のために提案されている。トカマクが最も広く用いられている構造である一方、他のトポロジーは、ステラレーター、双極子、テータピンチ、磁気ミラーおよび逆転磁界配位を含む。これらの形状を比較する臨界パラメーターは、磁気圧力対プラズマ圧力の比であるβである。ステラレーターおよびトカマクは、より大きく、より重く、より効果な磁気コイルが必要な低β装置である。逆転磁界配位および双極子は、βに近い統一感を有し、これによってより安価でより複雑ではない。高いβは、非中性子的燃料が高温、高圧を必要とするので、それらを燃焼するために非常に重要である。
【００１３】
国際熱核融合実験炉（ＩＴＥＲ）が現在のトカマク研究の頂点である。それは、Ｄ−Ｔを燃焼するように設計されており、１０〜３０ｋｅＶのプラズマ温度を必要とする。それは、プラズマ加熱のためにエネルギービームの射出を用い、２．８メートルの最小プラズマ次元を必要とする。ＩＴＥＲの合計次元は、高さ３０メートル、直径３０メートルである。高く活動的な中性子を電流に変換し、放射線障害および３０％の最小効率となる傾向がある。しかし、非中性子的Ｄ−３ＨＥは、必要なプラズマ温度を達成するためには、さらにより大きなトカマク型の原子炉を必要とする。
【００１４】
したがって、プラズマ加熱方法は、原子炉設計に重要な考慮事項である。衝突ビーム、誘導電流および電波は、全てプラズマ加熱に提案され、実験装置において使用された。
【００１５】
トロイダル（ドーナツ状）原子炉を加熱するための衝突ビームの使用が、ジャスビー（米国特許４０６５３５１号）によって開示されている。これは、Ｄ−３Ｈｅのような高度な非中性子的燃料の非実用性を証明している。
【００１６】
ハシ（米国特許出願公開２００８／００９５２９３号）は、熱核融合装置のための、Ｃピンチ構造を開示する。環または循環する電流が形成されるプラズマリングまたはプラズマ構造を引き起こす他の構成内に配置されるアーク点を越えて、多数のキャパシターが放電する位置に、プラズマリング生成装置が提供される。プラズマを加熱する新規性がある方法ではあるが、固有のプラズマ閉じ込め問題を解決するものではない。
【００１７】
モンコースト等（米国特許６６１１１０６号）は、融合生成物のエネルギーを電力に直接変換するプラズマ−電力生成システムを開示する。外的に与えられた磁場を調整することによって生成されるエネルギー井戸の深くにプラズマ電子が電気的に閉じ込められる一方、プラズマイオンは、ＦＲＣ内に磁気的に閉じ込められる。この構成では、イオンは、衝突して核力によってイオンが共に融合されるように、適正な密度および温度を有しなければならず、それゆえ、管状ビームの形成において表れる融合生成物を形成する。エネルギーは、逆サイクロトロン変換器の電極を通過してらせん運動し、融合生成物イオンから取り除かれる。
【００１８】
ロストカー等（米国特許７０１５６４６号）およびロストカー等（米国特許７１２６２８４号）は、プラズマを含め、逆転磁界配位（ＦＲＣ）磁化トポロジーを形成するシステムおよび方法を開示する。プラズマイオンは、ＦＲＣ内の非断熱の安定した電子軌道に磁気的に含まれる。モンコーストのように、電子はエネルギー井戸の深くに電気的に含まれ、外的に与えられた磁場を調整することによって生成される。電子の同時の静電気閉じ込めおよびイオンの磁気的閉じ込めは、特異な輸送を防止し、電子およびイオンの両方の古典閉じ込めを促進する。さらに、この閉じ込めシステムおよび方法に用いられる融合燃料プラズマは、中性子燃料にだけ限定されず、先進燃料も先進的に含まれる。
【先行技術文献】
【特許文献】
【００１９】
【特許文献１】米国特許出願公開２００８／００９５２９３号公報
【特許文献２】米国特許７０１５６４６号
【特許文献３】米国特許７１２６２８４号
【発明の概要】
【発明が解決しようとする課題】
【００２０】
ロストカーの６４６特許、ロストカーの２８４特許およびモンコーストは、静電気および磁気閉じ込めを開示する。閉じ込め方法が詳細に説明される一方、加熱方法は提案されていない。
【００２１】
引用特許は、プラズマ加熱、および非中性子的燃料の燃焼のための小さいサイズのＦＲＣ原子炉における安定した閉じ込めについては対処しない。他のＦＲＣは、電子を加熱し、プラズマ電流を駆動するための証明された方法を欠いている。ＲＦによって動く回転磁場（ＲＭＦ）は、小さなプラズマを加熱可能である。しかし、偶数パリティ構造（ＲＭＦｅ：回転磁場、偶数パリティ）は、エネルギー閉じ込めに乏しく、より大きなＦＲＣを必要とする結果を示した。
【００２２】
改良された逆転磁場配位核融合炉システムを開示する。
【課題を解決するための手段】
【００２３】
改良された逆転磁場配位核融合炉システムを開示する。核融合炉システムは、反応チャンバーと、核融合反応のために反応チャンバーに燃料を注入する注入システムと、を含む。複数の無線周波数（ＲＦ）アンテナが、燃料イオンのプラズマに融合を起こさせるのに十分な温度まで燃料を加熱可能な奇数パリティ回転磁場を生成するように構成される。オープンフィールド部およびクローズドフィールド部を含む磁場ならびにトロイダル電流は、磁場の大きさがゼロである空白行の周りのプラズマの範囲内で生成される。超伝導フラックスが、奇数パリティ回転磁場が誘発される反応チャンバー周囲に、螺旋状に形成される。誘発された電流は、プラズマを閉じ込める閉じ込め場を生成する。直接エネルギー変換システムは、プラズマ中の融合反応からの複数の生成物からエネルギーを抽出する。一方、間接エネルギー変更システムも、配置されてもよい。
【００２４】
逆転磁場配位核融合炉システムから電力を生成する方法を開示する。当該方法は、プラズマチャンバー内にイオン化された燃料プラズマを注入することを含む。無線周波数アンテナは、プラズマ内において周期的な共通ストリーミングイオンビームを生成することによってプラズマを加熱する、奇数パリティ回転磁場を生成する。奇数パリティ回転磁場の影響は、イオン化された燃料に融合反応を十分に起こすために、プラズマを加熱するものである。融合反応の生成物のエネルギーは、直接および／または間接的に電力に変換される。
【図面の簡単な説明】
【００２５】
【図１】ＲＭＦｏの座標系におけるＤ＋軌道のシミュレーションを示す図である。
【図２】可溶ペアの反応性、対、重心系エネルギーを示す図である。
【図３】ＦＲＣの磁気形状を示す図である。
【図４】開示されるシナリオの反応コアの物理的レイアウトを示す図である。
【図５】開示されるシナリオのエネルギーの流れの概略を示す図である。
【発明を実施するための形態】
【００２６】
以下の記述では、説明の目的で、本発明の完全な理解を提供するために、特定の数、材料および構造が述べられる。しかしながら、本発明はそのような特定の数等がなくても実施されることは、当業者にとって明らかである。いつくかの例では、開示されるシナリオを曖昧にしないように、公知の構造が省略または簡略化されている。さらに、明細書中において「ある実施形態」または「一つの実施形態」と言及される場合、特定の特性、構造または特徴が少なくとも一つの実施形態に含まれることを意味する。明細書の様々な場所における「一つの実施形態内において」という言いまわしは、同じ実施形態の全てに言及する必要はない。
【００２７】
詳細な説明において、本発明を図示する異なる図に従って、同じ参照番号は、同じ構成要素を表すために使用される。
【００２８】
開示するシナリオは、Ｄ−３Ｈｅを燃料とするＦＲＣにおける中性子の生成を低減する一方で、出力密度を向上する。開示するシナリオは、従来のＦＲＣシステムよりも安定した代替物を利用し、Ｄ−３Ｈｅプラズマの中性子生成を１パーセント未満に低減でき、その一方で、高いＤ：３Ｈｅの割合を維持するので、高出力密度を達成できる。奇数パリティＲＭＦ（ＲＭＦｏ）加熱により、定常状態ＦＲＣ装置に、周期的な、ビーム状の高エネルギーイオンエネルギー分布を生成する。
【００２９】
Ｄ−３Ｈｅ混合燃料を燃焼するためのＦＲＣ原子炉にとって、プラズマイオンは５０ｋｅＶより高く加熱されなくてはならない。活動的な中性子ビームの投入が用いられる場合、プラズマは、中性子ビームのエネルギーを吸収するために、直径４メートルより大きくなくてはならない。そのような大きな原子炉は、１ギガワットの範囲の電力を生成する。その一方、ＲＦ加熱に伴って、電力はより短い距離で吸収できる。ＲＦ加熱は、原子炉のサイズを、容積で約１００、半径で約１０の因子で低減でき、直径で０．５メートルまで低減できる。より小さい容積は、比較的低い電力、小さい電力システムに適当な１０ＭＷ近くに変換する。
【００３０】
逆転磁界配位が次の手段によって、円筒形容器内に生成される。イオン化されたガス内において、軸方向磁場がプラズマ生成方位電流に適用される。これらの電流は、それから、磁場自体をサポートする働きをする。そして、応用場の方向が反転される。イオン化されたガス中の電流は、プラズマの中心の周りの領域内に最初の電場を維持するために継続し、磁力線は、自己矛盾のない構造に自身を「治す」。応用場に対し逆方向または反転したプラズマ内の球状領域となる。
【００３１】
活動的なイオンビーム
融合反応横断面σｉｊは、衝突核（種ｉ、ｊ）の重心（ＣＭ）エネルギーＥＣＭの相対速度に依存する。温度Ｔｔｈの熱プラズマにおいて、温度Ｔｔｈに匹敵する平均ＣＭエネルギーを伴う衝突が発生する。Ｄ−Ｔにとって、６Ｔｔｈ近くのエネルギーを有する粒子からほとんどの融合事象が生まれる。熱プラズマにとって、エネルギー−平均融合反応速度＜σｖ＞ｉｊは、各燃料混合により異なる温度にピークがあり、Ｄ−Ｔでは６０ｋｅＶ、Ｄ−３Ｈｅでは２５０ｋｅＶ、ｐ−１１Ｂでは６００ｋｅＶ、Ｄ−Ｄでは１ＭｅＶである。しかし、核融合電力Ｐｆは〜ｎ２＜σｖ＞ｉｊでありβは〜ｎＴ／Ｂ２であるので、βの融合−装置−特性の限界が、＜σｖ＞ｉｊ〜Ｔ２の温度で生成される熱プラズマのための最大Ｐｆとなり、すなわち、ピークＴｐよりも相当下回る。同じ方程式が、Ｐｆ〜β２Ｂ４を示し、大きな利益がより高いβおよびＢから得られる。
【００３２】
ビーム−ターゲット間の相互作用を促進することによって、正味の融合電力利得のためのプラズマ−パラメーター要求を緩和すること、すなわち、高く、ほぼ単一であり、反応性のピークに近いエネルギーＥｂを有するごく少量の一つの反応種を使って（他の種が比較的安定している一方で）、プラズマを形成することが長く望まれてきた。エネルギーＥｂを有する平行および等方性速度分布の両方のビーム状が考慮された。活動的なビーム状分布のために、ビーム内の粒子ペアは、低いＣＭエネルギーを有する。低いＣＭエネルギーは、横の温度Ｔ⊥＜＜Ｅｂによって特徴付けられ、ビーム中の融合反応が不定期に起きる。しかしながら、ビームが反対方向のビームや可溶性の種のほぼ静電気の集合体と衝突する場合、ＥｂがＥｐにおけるσｖピークに向かって上昇すれば、増大する核融合電力が生成されうる。三つの可溶性ペアの核融合反応速度対ＣＭエネルギー（対温度ではない）は、図２に示す通りである。ピークの下で、Ｄ−Ｔ２４およびＤ−３Ｈｅ２０ペアは、ＥＣＭに対する速度で、Ｄ−Ｄ２２が見せるのよりもきわめて強い増加を見せる。０．２Ｅｐ＜Ｅ＜０．８Ｅｐの範囲において、σｖが増えると、Ｄ−Ｔ２４およびＤ−３Ｈｅ２０にとってのＥＣＭ４が増え、βによって抑制される二−構成要素プラズマにおいて、より高い核融合電力を可能とする。
【００３３】
プラズマを通過するビーム粒子は、プラズマの電子およびイオンの両方に対してエネルギーを損失する。活性粒子の射出により形成されるビームは、継続してエネルギーを失い、σｖにおけるピーク付近にだけ一時的に存在する。定量的に、ビーム粒子の融合可能性は、Ｅｐ付近の射出エネルギーからバルクプラズマ温度まで落ちるように、１パーセント以下である。遅いが断熱的なプラズマ圧縮は、バルクプラズマに対してビーム損失エネルギーを埋め合わせるための一度だけの手段である。プラズマ電子に対するビームのエネルギー損失を許容可能なレベルに低減するためには、３Ｈｅプラズマにおける６００ｋｅＶのＤビーム循環で、最小電子温度Ｔｅが、Ｔｅ＞Ｅｂ／２０〜３０ｋｅＶである必要がある。
【００３４】
βリミットは、ビーム密度ｎｂがバルクプラズマ密度ｎｅよりもかなり低いことを必要とする。ｎｂＥｂ〜ｎｅ（Ｔｅ＋Ｔｉ）を有するプラズマ（ここでＴｉはバルクプラズマのイオン温度）は、電力生成を十分に向上し、ビームを生成しプラズマを維持するのに必要だったのよりも大きなエネルギーを生成するビームによって、核融合イベントが生み出す。
【００３５】
中性ビーム加熱Ｄ−Ｔを燃料とし、圧縮により動作されるトカマクは、理想的には、ビーム−改良融合−電力生成を実行するのに適しているようである。重要な改良は、二構成要素の複数の選択（たとえば、ビーム加熱からＲＦ加熱に、Ｄ−ＴからＤ−３Ｈｅ燃料に、単一圧縮から迅速、周期的、ＲＦ加速の減速に、トカマク形状からＦＲＣ形状に、といった）を変更することによって、すなわち、二構成要素コンセプトにおいて得られうることを断言する。
【００３６】
我々が探す包括的な改良は、Ｄ−Ｔの電力密度に相当する以上の電力密度での正味の電力生成を維持したままで、中性子生成におけるサイズを減少することである。燃料としてのＤ−３Ｈｅの選択は、トリチウムを増殖するための中性子の必要性をなくし、そうすることによって、核のための多大な長期のＲ＆Ｄプログラム（たとえば材料テストおよびトリチウムの増殖）の必要性もなくし、さらに原子炉の放射線に伴う制限を和らげる。
【００３７】
同じプラズマ温度で、Ｄ−３ＨｅはＤ−Ｔよりも１０倍低い＜σ＞を有し、トカマクと比べてＦＲＣのβが１０−ｆｏｌｄ高いので、同じプラズマ温度で同じかそれよりも大きい核融合電力密度を達成できる。加えて、同じ磁気技術により、線形ＦＲＣにおいて、ドーナツ型トカマクよりも５０％高い磁場力を得ることが可能である。
【００３８】
後述のように、ここに開示されるシナリオのアプローチによって得られる効果は、プラズマ中に安定状態で、周期的かつ平行な共通に伝搬される二つの種のイオンビーム（それぞれ異なるピークエネルギーを有する）を生成するための新規なＲＦプラズマ加熱技術の能力に起因する。Ｄ＋イオンは、３Ｈｅ＋２の半分のピークエネルギーを有する。二つのビーム間のＣＭエネルギーは、Ｅｐ／３くらいであり、時間平均のビーム密度は、ｎｅ／１０くらいである。これは、Ｄの効果温度をＴ⊥に低減するが、平均エネルギーＥａｖに基づく温度で見積もられる値よりもＤ−３Ｈｅ融合速度を向上する。
【００３９】
ライダー（プラズマ１０３９の四つの物理特性、１９９７年）は、融合断面に散乱させる９０°クーロン−スピッツァーの大きい速度が、各イオン種で異なるイオン温度を維持するのを難しくすると指摘する。周期的加速とその後の各イオンの減速を引き起こすために、ＦＲＣに新規のＲＦを適用する方法を後述する。これは、指摘を解消するためにライダーによって提案される電力の高い再循環である。
【００４０】
ＦＲＣにおけるＲＦ生成イオンビーム
ＲＭＦｏによるイオン加熱は、Ｏポイントゼロライン付近、プラズマの磁気軸の中央付近で最も高く、この位置で時変方位角電場を生成する。これは、周期的に、イオンを加速してベータトロン軌道１２に入れ、それからサイクロトロン軌道１４に戻す。ＲＭＦｏ’のωＲＭＦおよび振幅特性を選択することは、イオンをそれぞれ増大させ（ｐｕｍｐ  ｕｐ）、その後、バルク温度に戻す。これは、伝統的な方法であり、ライダーによって導き出された再循環エネルギーの基準を後述のように満たす。Ｄ−３Ｈｅプラズマでは、ＲＭＦｏ加速されたイオンの軌道は、ＦＲＣのＯポイントゼロライン１０に近い二つのベータトロン軌道ストリーム：Ｄストリーム１２および３Ｈｅストリームを形成すると予想される。ジュウテリウムストリームイオンは、３Ｈｅイオンの半分のピークエネルギーを有し、それらの間に非ゼロ相対速度を生じさせる。各ビームの横方向温度勾配は、ビームのピークエネルギーよりもかなり低く、それゆえ、ジュウテリウムイオンは、３Ｈｅとの場合と比べて、質量エネルギーの中心からかなり低いところで、相互に衝突する；したがって、Ｄ−Ｄ中性子の生成速度が落ち、ｆｐが低減される。
【００４１】
エネルギー依存融合速度における格差から、さらなる低減が得られうる。あるシナリオでは、バルクプラズマが７０ｋｅＶの平均エネルギーを有し、ＲＭＦｏが３Ｈｅを約１００ｋｅＶ（２０，ａ）まで増加させ、そして、Ｄ＋を約５０ｋｅＶ（２２，ｂ）まで増加させ、Ｄ−Ｔ反応度が抑制される（２４）。したがって、いくつかの効果、たとえば、中心にピークがあるベータトロン軌道、低い横方向ビーム温度、Ｄから３Ｈｅへの低減された速度、ＲＭＦｏの加熱されたＤ−３Ｈｅを燃料とするＦＲＣに対してｆｐを０．２％未満に低減するための高い３Ｈｅエネルギー合成などが得られる。
【００４２】
これらの効果に加えて、Ｄ−３Ｈｅ融合は、Ｄ−Ｔを燃焼することによって生成されるエネルギーの１／６しか有さず、大きなトカマクに比べて小さいＦＲＣ（２５ｃｍ対１０ｍ）にとって体積比の割により大きな表面（∝１／半径）を有する中性子を生成し、ウォール上の中性子電力負荷のさらなる２４０−ｆｏｌｄ低減を得る。結局、開示されたシナリオにおける遮蔽への要求、すなわち、小さく、きれいな原子炉という要求は、Ｄ−Ｔが燃料とされるより大きな融合エンジンよりもかなり小さい。
【００４３】
図３にＦＲＣのｒ−ｚ断面が概略的に示される。磁気軸上では、主軸３１からＯポイント４０までの半径ｒｏの円は、ＦＲＣの中央平面内で、ｚ＝０の位置で、磁場の大きさ｜Ｂ｜はゼロである。このゼロラインは、ベータトロン軌道と呼ばれる特別なタイプの急速循環荷電粒子軌道を可能とし、図１に示すように、その軌道の曲率は、ゼロにクロスするように方向を反転する。ＦＲＣプラズマに適用される奇数パリティ無線周波数回転磁場（ＲＭＦＯ）は、電子およびイオンの両方を加熱でき、そうすることによって、それらの軌道を断続ベータトロン軌道（ＰＢＯ）と呼ばれる形に進め、図１に示すように、早いベータトロン軌道が遅く漂流する（ｃｏｕｎｔｅｒ−ｄｒｉｆｔｉｎｇ）サイクロトロン軌道により終結される。ＲＭＦＯ加熱されたプラズマでは、ベータトロン断片の軌道は、一定のエネルギーを有さない。中断点から中断点まで行く間に、粒子エネルギーが急激に増大し、そして、同様に急激に減少する。この加速／減速パターンは、ＲＭＦＯ期間に一回、周期的に迅速に繰り返す。ＦＲＣの反対側から反対方向を指し示すＲＭＦＯの（回転）方位磁場εΦを発生する。
【００４４】
効果的に、サイクロトロン断片の軌道は、さらに、ベータトロン断片よりも、ゼロラインから半径方向に除去される。これらのサイクロトロン軌道は、図１に示すように、かなり内側かかなり外側のＲＯである。この粒子軌道のプロットでは、主軸に沿って見て、ＲＭＦＯ角速度ωＲＭＦで回転する座標系においてトレースされる。
【００４５】
ベータトロン断片は、サイクロトロン軌道によって生成される角空間ΦＰＢＯの三日月形状内にある。この閉鎖された性質は、ＰＢＯがωＲＭＦｒｏの時間平均方位速度を有することを示す。空間的隔離は、遅いサイクロトロン断片を伴う早いベータトロン断片の影響の頻度を低減する。半径方向の分離は、サイクロトロンによって実行されるεΦｘＢＺ（ＢＺは、ＦＲＣの軸方向電場である）半径方向の漂流による。ＰＢＯ粒子のピーク方位角エネルギーの値ＷΦ｜ｍａｘは、ほぼζωＲＭＦＢＲＭＦｒｏΦＰＢＯに比例する。ここでζは粒子の電荷である。したがって、３Ｈｅ＋２は、Ｄ＋の二倍のエネルギーを有するが、３Ｈｅのより大きな質量のせいで、そのピーク方位角速度は、Ｄよりもたった１５％高いだけである。
【００４６】
およそ１／３の粒子が最大８０％以内の速度になる。ベータトロン軌道粒子の半径方向の方位角エネルギーの割合はＷｒ／ＷΦは、ＲＭＦｏの位相に関連するその初期位置およびイオンの速度による。ある実施形態では、一つのＰＢＯで、Ｗｒ／ＷΦ｜ｍａｘは１／２である。他の実施形態では、Ｗｒ／ＷΦ｜ｍａｘは１／３が普通であるが、シミュレーションによれば値は小さくて１／２００、大きくて１／１である。衝突位置におけるＷｒ／ＷΦの値は、半径方向の偏位が△ｒＰＢＯであって衝突が起こるＲＭＦフレーム内のＰＢＯ三日月形状の方位角範囲ΦＰＢＯに依存する。
【００４７】
シミュレーションのセットを試験すれば、ＰＢＯの横断によるＤ＋−３Ｈｅ＋２の衝突のＥｃｍを見積もれる。Ｂａ＝１００ｋＧおよびＢＲＭＦ＝０．４ｋＧで半径２５ｃｍのＦＲＣでは、Ｄ＋および３Ｈｅ＋２によって得られる最大エネルギーは、それぞれ０．４ＭｅＶおよび０．８ＭｅＶである。長期軌跡シミュレーションは、粒子分布関数の生成を可能とする。２Ｅａｖ／３の定義からＴａｖが〜１２０ｋｅＶであることがわかる。軌跡からのベータトロン断片の排除は、Ｔａｖを〜５６ｋｅＶまで低める。これらの考察から、Ｄ−Ｄ衝突でＥｃｍが〜１４０ｋｅＶである一方、ビーム状のＤ−３ＨｅはＥｃｍが２４０ＫＥｖであると考えられる。実施形態では、Ｄ−３Ｈｅの融合速度は、背景にあるプラズマ温度のため、上記の２の係数によって増加され、その一方で０．７の係数によってＤ−Ｄにより生成される中性子が減少される。１０ＭＷ／ｍ３より大きい電力密度、合計で〜０．４％の中性子チャネルにおける電力、〜１ＭＷ／ｍ２の壁負荷で、約５ＭＷの融合電力が生成される。
【００４８】
循環電力：ライダー基準
ライダー（プラズマの四つの物理特性  １０３９、１９９７年）は、マクスウェル分布からかけ離れた粒子分布を維持するために、融合電力よりも極めて高いレベルの循環電力、たとえば上述の改良された融合電力を生成するＰＢＯが要求されることを指摘する。ＲＭＦＯ方法は、高い循環電力を有し、そのアンテナ回路で約１００の電気Ｑとして測定される。５ＭＷの正味の融合電力を生成するＦＲＣ／ＲＭＦ原子炉に見積もられる２ＭＷの吸収されるＲＦ電力のため、アンテナとＲＦタンクの間の循環電力は２００ＭＷである。ビームが改良されたＤ−３Ｈｅでは、ライダーは、ビーム状のイオン分布を維持するためには、必要な融合電力に対する循環電力の割合は２０を超えるはずであると評価した。開示されるシナリオは、彼の基準を満たした。
【００４９】
ＰＢＯのベータトロン断片に入るイオンの瞬間加速度からの見積もりと比べて、循環電力のレベルは劣っている。Ｅａｖが〜３００ｋｅＶの加速度は、１ｍｓで約１０％のイオンに起こる。ｎｉが２×１０１４ｃｍ３の２５ｃｍの原子炉で、粒子を加速するために必要な瞬間的な電力は、６Ｐｉで〜０．１Ｖ、ｎｉ  Ｅａｖ  ωＲＭＦで〜４×１０１２Ｗである。しかしながら、同時に、イオンは減速され、ＲＭＦアンテナにほぼ同じ量の電力を返す。これは、ガス粒子がまれに互いに衝突するほど弱い、ガスを保持するコンテナーに似ている。コンテナーの一つの壁は、外向きの力を認識する（反対の壁は反対の方向の力を認識する）。正味のエネルギーは、コンテナー内のガスを維持するのに消耗されない。
【００５０】
単一のＲＭＦ期間では、１ｍｓのｃａ、２×１０１４ｃｍ−３のＤ＋密度のプラズマで３００ｋｅＶ近くのエネルギーを伴う３Ｈｅ＋２イオンは、融合の可能性が１０−７で、９０°分散が起こる可能性が１０−５である。分散されたイオンが三日月の外に移動したら、ＲＭＦからエネルギーを得たり、ＲＭＦにエネルギーを取られたりすることはなくなる。その代わり、融合する可能性があるが、それよりは低温度の背景プラズマを加熱する、二成分方法における「古典的な」加熱イオンのような振る舞いをする。この冷却軌道に従って、三日月の中にもう一度入ることができる。できない場合、これらのイオンは、周期的に電子にエネルギーを失って、上述の通り、最小温度より高く維持される助けとなる。一度平均プラズマエネルギー近くまで冷却されると、これらのイオンは、もう一度ＰＢＯに投入される。
【００５１】
図３にＦＲＣ配列を示す。場生成コイル３０は線形のオープンフィールド領域（ＯＦＲ）３２を形成する。名祖の逆磁場領域は、区分線３４によってＯＦＲから分割され、クローズドポロイダル場領域（ＣＦＲ）３６を形成する。渦電流３８は、Ｏポイントゼロライン４０が中心であり、ＣＦＲの軸によって形成される。
【００５２】
図４に、ＦＲＣ原子炉装置が示される。この図は、原子炉コアの重要な部分を示す。燃料が注入され４２、コアチャンバーによって拡散される。燃料は、ＦＲＣに入る前にイオン化される。ＲＭＦＯフィールド４４の逆行性成分がＲＦアンテナ４６によって生成される。ＲＭＦＯの方向は、中央平面の両側で反対であり、それゆえ、奇数パリティと呼ばれる。プラズマの周りに配置されるアンテナによる波形の位相整合の結果、回転磁場が形成される。ＲＭＦ導波路およびアンテナが示される４６。無線周波数導波路としては多くの種類が考えられ、よく知られた技術である。アンテナは、高周波を伝播する導波路のためのポートである。軸方向磁束コイル４８は、パッシブ超伝導コイルであり、その中で回転プラズマが磁気的に当該プラズマを閉じ込めるための電流を誘導する。これらのコイルは、磁気圧力を提供する一方、外部コイルからＲＭＦＯがプラズマを貫通できるようにする。図４は、プラズマ５０の内部構造を示す。プラズマ５０の内部構造は、逆転磁界配位によって規定される。中性子を反射するため、減衰させるため、吸収するための放射線遮蔽、制動放射およびシンクロトロン放射が５２に示される。
【００５３】
エネルギーの流れを図５に示す。図は、どのようにエネルギーおよび粒子が原子炉に流入および流出するかを示す。種１（ｎ１）の燃料原子は、５４に由来し、プラズマ５６に入る。第２燃料原子（ｎ２）は、５８に由来し、プラズマ５６に入る。核融合反応５６は、反応物質を融合産物に変換し、電力を生成する。当該反応は、Ｄ−Ｄ側の反応から、制動放射ｘ線、シンクロトロン放射およびいくらかの中性子も生成する。イオン生成物は、スクレイプオフ層６０を通り抜け、直接変換システム６２を介して電気に変換され、電力が電力バス６４に送られるところでシステムから出る。融合側の反応で生成される中性子は、遮蔽壁６６にぶつかる。プラズマ５６は、電力バス６４に電力供給されるＲＭＦＯ  ＲＦ加熱システム６８によって加熱され、加熱エンジン７０または直接変換システム６２の一方によって生成される。超伝導コイル７２は、冷却システム７６によって冷却される。冷却システム７６も電力バス６４から電力が供給される。電力は廃熱から生成され、ｘ線は加熱エンジン７０から生成される。この電力は、プラズマを加熱したり、入ってくるガスをイオン化したり、または送電線に伝達されたりすることで、再循環できる。遮蔽壁６６は、中性子束、反射してプラズマ内に戻されないシンクロトロン放射光、制動放射を吸収する。冷却システム７６は、超伝導コイル７２を冷却し、廃熱を除去する。廃熱の合成のうちたった少しの一部だけが、冷却システム７６によって除去される。正味の電力は、電力バス７８から入手できる。この電力は、送電線に伝達される。
【００５４】
ここのシナリオは、特定の実施形態により説明されたが、これらの実施形態は単にシナリオの原理および適用を示すものである。したがって、数々の多くの変形を説明した実施形態に加えることが可能であり、特許請求の範囲で定義されここで開示されたシナリオの技術的思想の範囲から逸脱しない範囲で他の変形例が考えられる。
【図１】
2018185321.tif 000003
【図２】
2018185321.tif 000004
【図３】
2018185321.tif 000005
【図４】
2018185321.tif 000006
【図５】
2018185321.tif 000007
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
熱を生成するシステムであって、
ジュウテリウムおよびヘリウム−３からなる燃料を反応チャンバーに供給するガス注入システムと、
前記反応チャンバーにおいて、少なくとも５０ｋｅＶの温度まで前記燃料のプラズマを加熱する奇数パリティ回転磁場を生成するように構成された複数の無線周波数（ＲＦ）アンテナと、
前記奇数パリティ回転磁場に応じて、誘導された電流を生成する複数の超伝導フラックスコイルと、を有し
前記誘導された電流は、前記燃料のプラズマを磁気的に閉じ込める閉じ込め磁場を生成する、システム。
【請求項２】
前記熱を生成するシステムで生成された熱は、電力を生成するために使用される、請求項１に記載のシステム。
【請求項３】
前記燃料のプラズマが少なくとも５０ｋｅＶの前記温度まで加熱された場合、生成物から電力が生成される、請求項１に記載のシステム。
【請求項４】
熱を生成する方法であって、
ジュウテリウムおよびヘリウム−３からなる燃料を反応チャンバーに注入するステップと、
複数の無線周波数（ＲＦ）アンテナを使用して、前記反応チャンバーにおいて、少なくとも５０ｋｅＶの温度まで前記燃料のプラズマを加熱する奇数パリティ回転磁場を生成するステップと、
複数の超伝導フラックスコイルによって、前記奇数パリティ回転磁場に応じて、誘導された電流を生成するステップと、を含み、
前記誘導された電流は、前記燃料のプラズマを磁気的に閉じ込める閉じ込め磁場を生成する、方法。
【請求項５】
前記燃料のプラズマを加熱することにより生成された熱から電力を生成するステップをさらに含む、請求項４に記載の方法。
【請求項６】
前記燃料のプラズマが少なくとも５０ｋｅＶの前記温度まで加熱された場合に生成される生成物から電力を生成するステップをさらに含む、請求項４に記載の方法。